(57)【要約】【課題】  本発明はコップで結露した結露水を確実に支持することができるとともに、コップをコースターの上に意識的に戻す必要がなく、コップを持ち上げても卓上の品物や衣服をぬらさないコースターを得るにある。【解決手段】  コップの結露水を支持することができるコースター本体と、このコースター本体に取り付けられた前記コップを着脱自在に係止することができる着脱機構とでコースターを構成している。【選択図】  図２
2009089870.tif 000002
【特許請求の範囲】
【請求項１】
コップの結露水を支持することができるコースター本体と、このコースター本体に取り付けられた前記コップを着脱自在に係止することができる着脱機構とからなることを特徴とするコースター。
【請求項２】
コースター本体は防水部材と、この防水部材の上面に設けられたコップの結露水を吸水することができる吸水材で構成されていることを特徴とする請求項１記載のコースター。
【請求項３】
コースター本体はコップの結露水を支持できるように浅皿状に形成されていることを特徴とする請求項１記載のコースター。
【請求項４】
着脱機構は不使用時に内側に折りたたむことができるようにコースター本体に取り付けられていることを特徴とする請求項１または請求項３いずれかに記載のコースター。
【発明の詳細な説明】
【技術分野】
【０００１】
本発明はコースターに関する。
【背景技術】
【０００２】
従来、コースターは図１に示すように氷等が入った冷たいコップで結露した結露水を受け、テーブル等をぬらさないような下敷きとして使用できるように構成されている。
【０００３】
しかしながら、コップ内の飲料を飲む場合、コップを手で持ち上げるとコースターがコップにくっついて持ち上がり、コースターに付着した結露水をこぼしたり、コップを持ち上げたときに、コップで結露した結露水は滴り落ちて卓上の品物や衣服をぬらしてしまうという欠点があった。
また、コップ内の飲料を飲む場合、コースターの上に必ず戻さなければコップで結露した結露水をコースターで受けることができず、めんどうであるという欠点があった。
【特許文献１】特になし
【発明の開示】
【発明が解決しようとする課題】
【０００４】
本発明は以上のような従来の欠点に鑑み、コップで結露した結露水を確実に支持することができるとともに、コップをコースターの上に意識的に戻す必要がなく、コップを持ち上げても卓上の品物や衣服をぬらさないコースターを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はコップの結露水を支持することができるコースター本体と、このコースター本体に取り付けられた前記コップを着脱自在に係止することができる着脱機構とでコースターを構成している。
【発明の効果】
【０００７】
以上の説明から明らかなように、本発明にあっては次に列挙する効果が得られる。
【０００８】
（１）コップの結露水を支持することができるコースター本体と、このコースター本体に取り付けられた前記コップを着脱自在に係止することができる着脱機構とで構成しているので、コースターを意図的に外さなければ、コップに取付けられた状態になっているので、コースターの位置を確認してコップをテーブルに置く必要が無い。
したがって、コースターの場所を確認せずに結露したコップをテーブルにおいても、テーブルをぬらしてしまう心配が無い。
【０００９】
（２）前記（１）により、コースターを意図的に外さなければ、コップに取付けられた状態になっているので、コップを手に持って移動させている最中も、コップに付着した結露水をコースターで受けることができる。
したがって、結露水が滴り落ちて卓上の品物や衣服をぬらしてしまうことを防止することができる。
【００１０】
（３）前記（１）によって、飲料を飲むためにコップを傾けてもコースターから結露水が滴り落ちることを確実に防止することができる。
【００１１】
（４）前記（１）によって、コースターが思わぬところでコップから外れ、脱落することを防止することができる。  
【００１２】
（５）請求項２も前記（１）〜（４）と同等の効果を得られるとともに、より確実にコップの結露水をコースター本体で脱落することなく支持することができる。
【００１３】
（６）請求項３も前記（１）〜（４）と同等の効果を得られる
【００１４】
（７）請求項４も前記（１）〜（５）と同等の効果を得られるとともに、着脱機構を折りたたむことができるため、嵩張らず収納することができる。
【発明を実施するための最良の形態】
【００１５】
以下、図面に示す本発明を実施するための最良の形態により、本発明を詳細に説明する。
【００１６】
図２および図３に示す本発明を実施するための最良の第１の形態において、１Ａは氷６入りの飲み物５等が入ったコップ２の下に敷く本発明のコースターで、このコースター１Ａは少なくともコップ２の底面全体より大きい円形あるいは多角形で、受けた結露水の脱落を防止することができるように防水部材で浅皿状に形成されたコースター本体８と、該コースター本体８の外周部に設けられたコップ２を着脱自在に係止することができる着脱機構７Ａとで構成されている。
【００１７】
着脱機構７Ａは図２に示すように、コースター本体８の外周部に所定間隔で下端部が固定されたほぼ中央部が小径となるように複数本の略くの字状の線状の係止片7ａより構成されている。係止片7ａの材質としては、ステンレス線、リン青銅線、鋼線等のばね材やＡＢＳ樹脂等の弾性を有する樹脂製線材を用いるとよい。着脱機構７Ａは、コースター１Ａにコップ２を置くと係止片が押し広げられ、係止片の有する弾性力でコップ２を狭持し、コースター１Ａをコップ２に取付けることができる。
【００１８】
なお、コースター本体８の縁部の高さは、結露水４の流出を防ぐことができる程度の高さがあればよい。縁部はコースター本体８に対してほぼ垂直に形成してもよいが、縁部の内面あるいは全体をやや内側に傾斜させて形成すると、コップ２を傾けても結露水４の流出を防ぐことができる。また、縁部の内面にらせん状の溝や、コップ２に触れないようにドーナツ状の凸部を形成しても、結露水４の流出を防ぐことができる。
なお、縁部はコースター本体８と一体形成されていても、溶着、接着、圧着、嵌合等で固定されていても問題ない。また、図面では、縁部をコースター本体８の外周部付近に設けているが、コップ２を縁部の内側に載置でき結露水４の流出を防ぐことができる位置に設ければよく、必ずしもコースター本体８の外周部付近に設ける必要はない。コースター本体８を縁部の外周外に伸延すれば、よりコースター１Ａの安定性を増加させることもできる。
[発明を実施するための異なる形態]
【００１９】
次に、図４ないし図９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図４および図５に示す本発明を実施するための第２の形態において、前記本発明を実施するための最良の第１の形態と主に異なる点は、四角形状のコースター本体８Ａと、このコースター本体８Ａの各辺８ａ、８ａ、８ａ、８ａのほぼ中央部より、上方へ突出し、先端部の内壁面に熱伝導率の低いゴム、パルプ、発泡スチロール等の断熱材製の半円弧状の係止片８ｂ、８ｂ、８ｂ、８ｂが設けられた板状の着脱機構７Ｂ、７Ｂ、７Ｂ、７Ｂとを用いた点で、このように構成したコースター１Ｂにしても、前記本発明を実施するための最良の第１の形態と同様な作用効果が得られるとともに、板状の着脱機構７Ｂ、７Ｂ、７Ｂ、７Ｂをもって、コップ２内の飲料を飲むことができ、コップ２の結露水４に手が触れることなく、
コップ２内の飲料を飲むことができる。
また、飲料を飲むときに、板状の着脱機構７Ｂ、７Ｂ、７Ｂ、７Ｂを指先でもつことにより、指にコップ２の冷たさを感じること、気持ちよく使用することができる。
【００２１】
図６および図７に示す本発明を実施するための第３の形態において、前記本発明を実施するための最良の第１の形態と主に異なる点は、内底にシート状のコップの結露水４を吸水することができる吸水材１１を設けたコースター本体８Ｂを用いた点で、このようなコースター本体８Ｂを用いたコースター１Ｃにしても、前記本発明を実施するための最良の第１の形態と同様な作用効果が得られるとともに、より確実にコースター本体８Ｂより、結露水４の脱落を確実に防止することができる。
【００２２】
図８に示す本発明を実施するための第４の形態において、前記本発明を実施するための第３の形態と主に異なる点は、内底にシート状のコップの結露水４を吸水することができる吸水材１１を設けたコースター本体８Ｃを用いた点で、このようなコースター本体８Ｃを用いたコースター１Ｄにしても、前記本発明を実施するための第３の形態と同様な作用効果が得られる。
【００２３】
図９に示す本発明を実施するための第５の形態において、前記本発明を実施するための第２の形態と主に異なる点は、蝶番部１２、１２、１２、１２を介して内側にのみ回動可能な着脱機構７Ｃ、７Ｃ、７Ｃ、７Ｃとを用いた点で、このように構成したコースター１Ｅにしても、前記本発明を実施するための第２の形態と同様な作用効果が得られるとともに、回動可能な着脱機構７Ｃ、７Ｃ、７Ｃ、７Ｃにより、不使用時に着脱機構７Ｃ、７Ｃ、７Ｃ、７Ｃをたたんで、小さくして収納することができる。
【産業上の利用可能性】
【００２４】
本発明はコースターを製造する産業で利用される。
【図面の簡単な説明】
【００２５】
【図１】従来のコースターの説明図。
【図２】本発明を実施するための最良の第１の形態の斜視図。
【図３】本発明を実施するための最良の第１の形態の使用状態の斜視図。
【図４】本発明を実施するための第２の形態の斜視図。
【図５】本発明を実施するための第２の形態の使用状態の斜視図。
【図６】本発明を実施するための第３の形態の斜視図。
【図７】本発明を実施するための第３の形態の吸水材の説明図。
【図８】本発明を実施するための第４の形態の斜視図。
【図９】本発明を実施するための第５の形態の収納状態を示す斜視図。
【符号の説明】
【００２６】
１：従来のコースター
１Ａ、１Ｂ、１Ｃ、１Ｄ、１Ｅ：コースター、
２：コップ、                                    ４：結露水、
５：飲み物、                                    ６：氷、
７Ａ、７Ｂ、７Ｃ：着脱機構、
８、８Ａ、８Ｂ、８Ｃ：コースター本体、
１１：吸水材、                                １２：蝶番部。
【図１】
2009089870.tif 000003
【図２】
2009089870.tif 000004
【図３】
2009089870.tif 000005
【図４】
2009089870.tif 000006
【図５】
2009089870.tif 000007
【図６】
2009089870.tif 000008
【図７】
2009089870.tif 000009
【図８】
2009089870.tif 000010
【図９】
2009089870.tif 000011